(57)【要約】      （修正有）【課題】光警報制御装置から連続送信する制御電文を複数の光警報装置で間欠受信した場合及び光警報装置で中継した場合について、複数の光警報装置の発光タイミングを一致させて同期発光が可能な警報システムを提供する。【解決手段】光警報制御装置３０は、火災受信機１０で火災を検出した場合、発光周期内における電文受信終了から発光開始までの発光待ち時間情報を含めた制御電文を３回に分けた送信時間の間に複数回連続送信する。光警報装置３２−１〜３２−３は間欠受信により最初に受信した制御電文に含まれる発光待ち時間情報により発光部の発光を開始し、光警報装置の同期発光を繰り返す。光警報制御装置は、光警報装置の確認応答電文が受信されない場合に、発光制御中の光警報装置３２−１、３２−２に中継指示電文を送信し、中継用の制御電文を生成して中継送信することで中継先の光警報装置３２−３を含めて同期発光を行う。【選択図】図１
2019075167.tif 000002
【特許請求の範囲】
【請求項１】
火災を検知して光警報を行う警報システムに於いて、
火災を検知した場合に、光制御を指示する制御電文を送信すると共に、前記制御電文を受信した場合の所定の発光周期（Ｔｆ）内における電文の所定の位置から発光開始までの発光待ち時間情報（Ｔｓ）を前記制御電文に含めて送信する光警報制御装置と、
間欠受信により最初に受信した前記制御電文に含まれる前記発光待ち時間情報（Ｔｓ）により発光部の発光を開始して前記発光周期（Ｔｆ）による発光を繰り返す光警報装置と、
を設けたことを特徴とする警報システム。
【請求項２】
請求項１記載の警報システムに於いて、
前記光警報制御装置は、火災を検知した場合に、所定の送信時間（Ｔ１）と送信休止時間（Ｔ２）からなる所定の送信周期を複数回設定して前記各送信時間（Ｔ１）の間に制御電文の送信を複数回繰り返すことを特徴とする警報システム。
【請求項３】
請求項１又は２記載の警報システムに於いて、
前記光警報制御装置は、送信先となる全ての前記光警報装置の識別情報を登録し、前記制御電文を送信して全ての送信先から確認応答電文が受信されなかった場合に、中継送信を指示する中継指示電文を送信し、
前記光警報装置は、発光制御中に光警報制御装置から前記中継指示電文を受信した場合に、中継制御電文を生成して中継送信することを特徴とする警報システム。
【請求項４】
請求項３記載の警報システムに於いて、
前記光警報制御装置は、前記中継指示電文に、当該中継指示電文を受信した場合の受信終了から次の発光開始までの中継発光待ち時間情報（Ｔｒ０）を含めて送信し、
前記中継指示電文を受信した発光制御中の光警報装置は、前記中継発光待ち時間情報（Ｔｒ０）を電文の中継に要する電文毎の中継所要時間（ΔＴｉ）を加味して補正した中継発光待ち時間情報（Ｔｒｉ）を前記中継制御電文に含めて中継送信し、
中継先の光警報装置は、間欠受信により最初に受信した前記中継制御電文に含まれる補正した中継発光待ち時間情報（Ｔｒｉ）により前記発光部の発光を開始して前記発光周期（Ｔｆ）による発光を繰り返すことを特徴とする警報システム。
【請求項５】
請求項４記載の警報システムに於いて、前記中継所要時間（ΔＴｉ）は、前記光警報制御装置からの前記中継指示電文の受信終了から前記光警報装置による前記中継制御電文の中継送信終了までの時間としたことを特徴とする警報システム。
【請求項６】
請求項４又は５記載の警報システムに於いて、前記中継指示電文を受信した発光制御中の光警報装置は、
前記中継指示電文を送信した最初の発光周期以内で前記中継制御電文の送信を終了する場合は、前記中継発光待ち時間情報（Ｔｒ０）から前記中継所要時間（ΔＴｉ）を差し引いて補正した中継発光待ち時間情報（Ｔｒｉ＝Ｔｒ０−ΔＴｉ）を算出して前記中継制御電文に含め、
２番目以降の発光周期以内で前記中継制御電文の送信を終了する場合は、前記中継発光待ち時間情報（Ｔｒ０）に、送信終了タイミングが属する発光周期の順番に応じた１又は複数の発光周期（Ｔｆ）を加算した時間から前記中継所要時間（ΔＴｉ）を差し引いて補正した中継発光待ち時間情報（Ｔｒｉ＝（Ｔｒ０＋ｎ・Ｔｆ）−ΔＴｉ）を算出して前記中継制御電文に含めることを特徴とする警報システム。
【請求項７】
請求項４記載の警報システムに於いて、
前記光警報制御装置は、前記中継指示電文に、前記制御電文を受信した場合の発光周期の開始から電文送信開始までの送信待ち時間情報（Ｔａ）を含めて送信し、
前記中継指示電文を受信した光警報装置は、前記発光待ち時間情報（Ｔｓ）を含めた前記中継制御電文を中継送信し、
中継先の光警報装置は、間欠受信により最初に受信した前記中継制御電文に含まれる前記発光待ち時間情報（Ｔｓ）により前記発光部の発光開始を制御して前記発光周期毎に発光を繰り返すことを特徴とする警報システム。
【請求項８】
請求項４又は７記載の警報システムに於いて、
前記中継指示電文を受信した発光制御中の光警報装置は、所定の送信時間（Ｔ１）と送信休止時間（Ｔ２）からなる所定の送信周期を複数回設定して前記各送信時間（Ｔ１）の間に前記中継制御電文の中継送信を複数回繰り返すことを特徴とする警報システム。
【発明の詳細な説明】
【技術分野】
【０００１】
本発明は、受信機により火災感知器の火災発報を受信した場合に、受信機側から警戒区域の光警報装置に制御電文を無線送信して点滅する光により火災の発生を報知する警報システムに関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点滅により火災発生を報知するため、例えば聴覚不自由者にも、災害の発生を早期に、且つ確実に認識させることができる。
【０００４】
また、配線による手間とコストを低減するため、無線式の警報システムも提案されている（例えば特許文献４参照）。無線式の警報システムは、火災受信機により火災感知器の火災発報を受信した場合に、中継器に電路を介して火災信号を出力して中継器から警報指令信号（制御電文）を光警報装置に送信し、光警報装置は警報指令信号を受信してから所定の遅延時間Δｔ後に発光部を発光駆動し、所定の周期Ｔで発光を繰り返す。また、電波の届かない場所に設置した光警報装置に対しては、途中に電波中継器を設け、警報指令信号を中継している。
【０００５】
電波中継器は、火災受信機に接続した中継器からの警報指令信号を受信すると、周期Ｔを経過した後に警報指令信号を中継送信し、中継先の光警報装置は警報指令信号の受信から所定遅延時間Δｔを経過した時点で発光部を発光駆動し、以後、周期Ｔで発光を繰り返す。この結果、中継の有無に応じて最初の発光には時間ずれがあるが、全ての光警報装置が発光を開始すると周期Ｔによる同期発光が行われ、バラバラのタイミングで発光することによる光過敏性発作の問題を解消可能とする。
【先行技術文献】
【特許文献】
【０００６】
【特許文献１】実用新案登録第３１１３９４６号公報
【特許文献２】特開２００５−１６５７４０号公報
【特許文献３】特開２０１１−１９８１９４号公報
【特許文献４】特開２０１４−１８６４３０号公報
【発明の概要】
【発明が解決しようとする課題】
【０００７】
ところで、光警報を行う無線式の警報システムにあっては、監視対象とする警戒区域の電波環境は様々であり、一日の時間帯や季節等によっても電波環境が変化する可能性がある。このため受信機側の光警報制御装置から制御電文を無線送信する場合、同じ制御電文を連続して複数回送信するようにしている。また、無線式の光警報装置は電池駆動としていることから、十分な電池寿命を確保するために間欠受信を行っている。
【０００８】
このように光通信制御装置により複数回に亘り電文を連続送信し、光警報装置で光制御電文を間欠受信して発光制御するようにした場合、光警報制御装置から連続送信する制御電文の内、どの制御電文を有効に受信するかは、光警報装置が非同期で行っている間欠受信周期毎に行うキャリアセンスのタイミングにより決まり、従来のように周期Ｔ毎の警報指令信号の受信から所定の遅延時間Δｔ後に発光部を発光制御するようにしても、光警報装置の発光タイミングはバラバラとなり、発光タイミングを一致させる発光同期をとることができない問題がある。
【０００９】
また、受信機側の光警報制御装置からの電波が届かない遠い位置に設置している光警報装置については、その間に設置している光警報装置に電波中継機能を持たせ、光警報制御装置からの制御電文を中継送信するが、この場合にも、連続して中継送信する制御電文の内、どの制御電文を有効に受信するかは、中継先の光警報装置が非同期で行っている間欠受信周期毎に行うキャリアセンスのタイミングにより決まり、光警報装置の発光タイミングはバラバラとなり、同様に、発光タイミングを一致させる発光同期をとることができない問題がある。
【００１０】
本発明は、光警報制御装置から連続送信する制御電文を複数の光警報装置で間欠受信した場合及び光警報装置で中継した場合について、複数の光警報装置の発光タイミングを一致させて同期発光を可能とする無線式の警報システムを提供することを目的とする。
【課題を解決するための手段】
【００１１】
（警報システム）
本発明は、火災を検知して光警報を行う警報システムに於いて、
火災を検知した場合に、光制御を指示する制御電文を送信すると共に、制御電文を受信した場合の所定の発光周期（Ｔｆ）内における電文の所定の位置から発光開始までの発光待ち時間情報（Ｔｓ）を制御電文に含めて複数回送信する光警報制御装置と、
間欠受信により最初に受信した制御電文に含まれる発光待ち時間情報（Ｔｓ）により発光部の発光を開始して発光周期（Ｔｆ）による発光を繰り返す光警報装置と、
を設けたことを特徴とする。
【００１２】
（制御電文の送信と送信休止の繰り返し）
光警報制御装置は、火災を検知した場合に、所定の送信時間（Ｔ１）と送信休止時間（Ｔ２）からなる所定の送信周期を複数回設定して各送信時間（Ｔ１）の間に制御電文の送信を複数回繰り返す。
【００１３】
（中継送信）
光警報制御装置は、送信先となる全ての光警報装置の識別情報を登録し、制御電文を送信して全ての送信先から確認応答電文が受信されなかった場合に、中継送信を指示する中継指示電文を送信し、
光警報装置は、発光制御中に光警報制御装置から中継指示電文を受信した場合に、中継制御電文を生成して中継送信する。
【００１４】
（制御電文中継１）
光警報制御装置は、中継指示電文に、当該中継指示電文を受信した場合の受信終了から次の発光開始までの発光待ち時間情報（Ｔｒ０）を含めて送信し、
中継指示電文を受信した発光制御中の光警報装置は、中継発光待ち時間情報（Ｔｒ０）を電文の中継に要する電文毎の中継所要時間（ΔＴｉ）を加味して補正した中継発光待ち時間情報（Ｔｒｉ）を中継制御電文に含めて中継送信し、
中継先の光警報装置は、間欠受信により最初に受信した中継制御電文に含まれる補正した中継発光待ち時間情報（Ｔｒｉ）により発光部の発光を開始して発光周期（Ｔｆ）による発光を繰り返す。
【００１５】
ここで、中継所要時間（ΔＴｉ）は、光警報制御装置からの中継指示電文の受信終了から光警報装置による中継制御電文の中継送信終了までの時間とする。ここで、ｉは電文の順番を示すｉ＝１，２，３，…ｎとなる整数となる。
【００１６】
（発光待ち時間情報）
中継指示電文を受信した発光制御中の光警報装置は、
中継指示電文を送信した最初の発光周期以内で中継制御電文の送信を終了する場合は、中継発光待ち時間情報（Ｔｒ０）から電文毎の中継所要時間（ΔＴｉ）を差し引いて補正した中継発光待ち時間情報（Ｔｒｉ＝Ｔｒ０−ΔＴｉ）を算出して中継制御電文に含め、
２番目以降の発光周期以内で中継制御電文の送信を終了する場合は、中継発光待ち時間情報（Ｔｒ０）に、送信終了タイミングが属する発光周期の順番に応じた１又は複数の発光周期（Ｔｆ）を加算した時間から電文毎の中継所要時間（ΔＴｉ）を差し引いて補正した中継発光待ち時間情報（Ｔｒｉ＝（Ｔｒ０＋ｎ・Ｔｆ）−ΔＴｉ）を算出して中継制御電文に含める。
【００１７】
（制御電文中継２）
光警報制御装置は、中継指示電文に、制御電文を受信した場合の発光周期の開始から電文送信開始までの送信待ち時間情報（Ｔａ）を含めて送信し、
中継指示電文を受信した光警報装置は、発光待ち時間情報（Ｔｓ）を含めた中継制御電文を中継送信し、
中継先の光警報装置は、間欠受信により最初に受信した中継制御電文に含まれる発光待ち時間情報（Ｔｓ）により発光部の発光開始を制御して発光周期毎に発光を繰り返す。
【００１８】
（中継制御電文の連続送信）
中継指示電文を受信した発光制御中の光警報装置は、所定の送信時間（Ｔ１）と送信休止時間（Ｔ２）からなる所定の送信周期を複数回設定して各送信時間（Ｔ１）の間に中継制御電文の中継送信を複数回繰り返す。
【発明の効果】
【００１９】
（警報システムの基本的な効果）
本発明は、火災を検知して光警報を行う警報システムに於いて、火災を検知した場合に、光制御を指示する制御電文を送信すると共に、制御電文を受信した場合の所定の発光周期（Ｔｆ）内における電文の所定の位置から発光開始までの発光待ち時間情報（Ｔｓ）を制御電文に含めて複数回送信する光警報制御装置と、間欠受信により最初に受信した制御電文に含まれる発光待ち時間情報（Ｔｓ）により発光部の発光を開始して発光周期（Ｔｆ）による発光を繰り返す光警報装置とを設けるようにしたため、光通信制御装置から繰り返し送信された複数の制御電文を、複数の光警報装置がそれぞれの間欠受信に応じて異なるタイミング受信しても、制御電文の所定の位置、例えば受信終了から受信電文に含まれている発光待ち時間情報を経過した時点で発光部の発光を発光周期に応じて繰り返すことで、複数の光警報装置の発光開始タイミングを一致させ、複数の光警報装置の点滅が一致する同期発光を確実に行うことを可能とする。
【００２０】
（制御電文の送信と送信休止の繰り返しによる効果）
また、光警報制御装置は、火災を検知した場合に、所定の送信時間（Ｔ１）と送信休止時間（Ｔ２）からなる所定の送信周期を複数回設定して各送信時間（Ｔ１）の間に制御電文の送信を複数回繰り返ようにしたため、送信休止時間を挟んで複数回の送信時間の間に制御電文を連続送信することで、キャリアセンスにより間欠受信をおこなっている光警報装置で、制御電文を確実に受信して光警報制御を行うことを可能とする。
【００２１】
（中継送信による効果）
また、光警報制御装置は、送信先となる全ての光警報装置の識別情報を登録し、制御電文を送信して全ての送信先から確認応答電文が受信されなかった場合に、中継送信を指示する中継指示電文を送信し、光警報装置は、発光制御中に光警報制御装置から中継指示電文を受信した場合に、中継制御電文を生成して中継送信するようにしたため、送信先としている全ての光警報装置で制御電文が受信された場合は不必要な中継を指示せず、制御電文を受信していない光警報装置が存在している場合にのみ中継を指示することで、警戒区域に設置している光警報装置に対する電波環境に対応した中継を可能とし、無駄な中継動作を抑止可能とする。
【００２２】
（制御電文中継１による効果）
また、光警報制御装置は、中継指示電文に、当該中継指示電文を受信した場合の受信終了から次の発光開始までの中継発光待ち時間情報（Ｔｒ０）を含めて送信し、中継指示電文を受信した発光制御中の光警報装置は、中継制御電文の送信を複数回繰り返すと共に、中継発光待ち時間情報（Ｔｒ０）を電文の中継に要する電文毎の中継所要時間（ΔＴｉ）を加味して補正した中継発光待ち時間情報（Ｔｒｉ）を中継制御電文に含めて中継送信し、中継先の光警報装置は、間欠受信により最初に有効受信した中継制御電文に含まれる補正した中継発光待ち時間情報（Ｔｒｉ）により発光部の発光を開始して発光周期（Ｔｆ）による発光を繰り返し、中継所要時間（ΔＴｉ）は、光警報制御装置からの中継指示電文の受信終了から光警報装置による中継制御電文の中継送信終了までの時間とするようにしたため、光警報制御装置は、全ての送信先から確認応答電文が受信されなかった場合に中継指示電文を１回送信することで、間欠受信による制御電文の受信により継続受信を行っている発光制御中の光警報装置が中継指示電文の受信に基づき、複数の中継制御電文を繰り返し送信する中継制御を行い、各中継電文に含まれる中継所要時間を加味して補正した中継発光待ち時間情報を含めることで、中継先の１又は複数の光警報装置はそれぞれの間欠受信に応じて異なるタイミングで中継制御電文を受信しても、制御電文の受信終了から受信電文に含まれている補正した待ち時間情報を経過した時点で発光部の発光を発光周期に応じて繰り返すことで、中継先の光警報装置の発光開始タイミングを一致させ、同時に、既に発光制御中にある中継元の光警報装置の点滅にも一致させ、制御電文を中計した場合にも複数の光警報装置の同期発光を確実に行うことを可能とする。
【００２３】
また、光警報装置に中継機能を持たせておくことで、専用の中継装置を設ける必要がなく、システム構成を簡単にしてコスト低減を可能とする。
【００２４】
（中継所要時間の算出による効果）
また、中継指示電文を受信した発光制御中の光警報装置は、中継指示電文を送信した最初の発光周期以内で中継制御電文の送信を終了する場合は、中継発光待ち時間情報（Ｔｒ０）から電文毎の中継所要時間（ΔＴｉ）を差し引いて補正した中継発光待ち時間情報（Ｔｒｉ＝Ｔｒ０−ΔＴｉ）を算出して中継制御電文に含め、２番目以降の発光周期以内で中継制御電文の送信を終了する場合は、中継発光待ち時間情報に、送信終了タイミングが属する発光周期の順番に応じた１又は複数の発光周期を加算した時間から電文毎の中継所要時間（ΔＴｉ）を差し引いて補正した中継発光待ち時間情報（Ｔｒｉ＝（Ｔｒ０＋ｎ・Ｔｆ）−ΔＴｉ）を算出して中継制御電文に含めるようにしたため、中継指示電文の送信に先立つスケジュール管理により、中継発光待ち時間情報（Ｔｒ０）と中継所要時間（ΔＴｉ）から補正した中継発光待ち時間情報（Ｔｒｉ）を求め、送信タイミングの異なる中継制御電文に含めて送信することで、中継先での同期発光を確実に可能とする。
【００２５】
（制御電文中継２の効果）
また、光警報制御装置は、中継指示電文に、制御電文を受信した場合の発光周期の開始から電文送信開始までの送信待ち時間情報（Ｔａ）を含めて送信し、中継指示電文を受信した光警報装置は、送信待ち時間情報（Ｔａ）に基づき、発光待ち時間情報（Ｔｓ）を含めた中継制御電文の中継送信を複数回繰り返し、中継先の光警報装置は、間欠受信により最初に有効受信した中継制御電文に含まれる発光待ち時間情報（Ｔｓ）により発光部の発光開始を制御して発光周期毎に発光を繰り返すようにしたため、この場合は、発光周期内で複数回繰り返し送信する中継制御電文に含める発光待ち時間情報が各発光周期において同じ値となり、発光待ち時間情報を中継制御電文毎に補正する必要がなく、中継制御よる同期発光を簡単に行うことを可能とする。
【００２６】
（中継制御電文の連続送信）
中継指示電文を受信した発光制御中の光警報装置は、所定の送信時間（Ｔ１）と送信休止時間（Ｔ２）からなる所定の送信周期を複数回設定して各送信時間（Ｔ１）の間に中継制御電文の中継送信を複数回繰り返ようにしたため、中継送信についても、送信休止時間を挟んで複数回の送信時間の間に中継制御電文を連続送信することで、キャリアセンスにより間欠受信をおこなっている中継先の光警報装置で、中継制御電文を確実に受信して光警報制御を行うことを可能とする。
【図面の簡単な説明】
【００２７】
【図１】制御電文の無線通信により光警報制御を行う警戒システムの実施形態を示したブロック図
【図２】光警報制御装置の機能構成を示したブロック図
【図３】光警報装置の機能構成を示したブロック図
【図４】制御電文の形式を示した回路図
【図５】制御電文の送信による発光制御を示したタイムチャート
【図６】図５に続いて中継指示電文を送信して中継制御を行った場合の発光制御を示したタイムチャート
【図７】制御電文の送信と中継による発光制御の他の実施形態を示したタイムチャート
【図８】光警報制御装置の制御動作を示したフローチャート
【図９】光警報装置の制御動作を示したフローチャート
【発明を実施するための形態】
【００２８】
［警報システム］
（警報システムの構成）
図１は制御電文の無線通信により光警報制御を行う警報システムの実施形態を示したブロック図である。
【００２９】
図１に示すように、本実施形態の警報システムは、Ｐ型の自動火災報知システムを例にとっており、火災受信機１０からは警戒区域に向けて電源兼用信号線となる感知器回線１２を複数回線引き出して複数の火災感知器１４を接続しており、回線終端には終端装置（終端抵抗）１６を接続している。
【００３０】
火災受信機１０は、受信制御部２０を備え、受信制御部２０に対し回線受信部２２、表示部２４、操作部２５、警報部２６及び移報部２８を設けている。
【００３１】
受信制御部２０は、例えばプログラムの実行により実現される機能であり、ハードウェアとしてはＣＰＵ、メモリ、各種の入出力ポート等を備えたコンピュータ回路等を使用する。
【００３２】
回線受信部２２は火災受信機１０に内蔵した電源から所定の直流電圧ＶＬ、例えばＶＬ＝ＤＣ２４ボルトを火災感知器１４に電源電圧として供給している。また、回線検出部２２は火災感知器１４の火災検出により感知器回線１２に流れる発報電流を検出して回線電流検出信号を受信制御部２０に出力し、受信制御部２０は回線受信部２２からの回線電流検出信号が所定の火災発報レベル以上となることを検出して火災発報を判定する。
【００３３】
また、感知器回線１２には通常監視状態（非発報状態）において終端装置１６で決まる所定の回線監視電流が流れており、感知器回線１２が断線すると回線監視電流が流れなくなり、受信制御部２０は回線受信部２２からの回線電流検出信号が所定値以下に低下したことを検知して断線障害を判定する。
【００３４】
表示部２４には、火災代表灯、地区表示灯、その他火災監視に必要な各種の表示灯や液晶ディスプレイ等を設けている。操作部２５には、主音響停止スイッチ、地区音響停止スイッチ、移報停止スイッチ等の火災監視に必要な各種のスイッチを設けている。警報部２６はブザーやスピーカを備え、音響警報やメッセージ警報を出力する。移報部２８は他の機器に火災移報信号を出力する。
【００３５】
（光警報制御機能）
このような自動火災報知システムの構成及び機能は、従来システムと同じであるが、これに加えて本実施形態にあっては、火災受信機１０の外部に光警報制御装置３０を配置して移報部２８から移報信号線を接続し、また、警戒区域に無線式の光警報装置３２−１〜３２−３を配置している。なお、以下の説明で、光警報装置３２−１〜３２−３を区別する必要がない場合は光警報装置３２という場合がある。
【００３６】
光警報制御装置３０は火災受信機１０の移報部２８から火災移報信号を受信すると光警報制御を指示するための制御電文を生成して光警報装置３２−１〜３２−３に無線送信し、光警報制御を行わせる。光警報制御装置３０による制御電文の送信は、光警報装置３２−１〜３２−３の間欠受信に対応し、所定の送信時間Ｔ１と送信休止時間Ｔ２からなる送信周期Ｔ０を複数回、例えば３回繰り返し、各送信時間Ｔ１の間に制御電文を複数回連続して送信する。
【００３７】
光警報装置３２−１〜３２−３は、光警報制御装置３０から送信した制御電文を受信し、高輝度ＬＥＤやフラッシュライト等を用いた発光部の発光制御により設置場所に対応した所定の光度をもつ白色光又は赤色光を点滅し、点滅する光により火災の発生を報知する光警報を行う。
【００３８】
光警報装置３２による光警報の点滅周波数は０．５Ｈｚ以上、２Ｈｚ以下、即ち発光周期Ｔｆは０．５以上、２．０秒以下であり、発光パルス幅は０．２秒（２００ｍｓ）を超えないようにしている。
【００３９】
また、光警報装置３２は、所定の間欠受信周期毎にキャリアセンスを行う間欠受信を行っており、キャリアセンスにより光警報制御装置３０からの送信電波を検出すると継続受信に切り替わって光警報制御装置３０から送信した制御電文を受信し、受信した制御電文の内容に基づき、発光部の発光制御を開始し、所定の発光周期Ｔｆで発光制御を繰り返して光警報を報知する。
【００４０】
また、光警報制御装置３０及び光警報装置３２−１〜３２−３には固有の識別情報となるＩＤが予め割り当てられている。
【００４１】
（光警報制御装置の構成）
図２は図１に設けた光警報制御装置の機能構成を示したブロック図である。図２に示すように、光警報制御装置３０は、制御部３４、移報信号線を入力接続した移報入力部３６及びアンテナ４０を接続した通信部３８を備え、火災受信機１０からの電源又は専用電源で動作する。
【００４２】
制御部３４は、例えばプログラムの実行により実現される機能であり、ハードウェアとしてはＣＰＵ、メモリ、各種の入出力ポート等を備えたコンピュータ回路等を使用する。移報入力部３６は図１に示した火災受信機１０の受信制御部２０が火災感知器１４の火災発報を検出して火災警報を行った場合に移報部２８から出力される火災移報信号の入力を検出し、制御部３４に火災信号を出力する。
【００４３】
通信部３８は警戒区域に設置している光警報装置３２との間で電文の送受信を行う。通信部３８は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００４４】
制御部３４は、警報システムの運用開始に先立ち、自己のメモリに通信先とする光警報装置３２−１〜３２−３の識別情報としてＩＤ１〜ＩＤ３を予め登録している。
【００４５】
また、制御部３４は、移報入力部３６からの火災信号の入力を検出した場合、光制御を行うための制御電文を生成し、通信部３８に指示して送信する制御を行う。
【００４６】
ここで、光警報制御装置から送信する制御電文は例えば図３に示す信号形式となる。図３に示すように、制御電文は、スタートコード、送信元ＩＤ、通信制御コード、制御内容、光制御時間情報及びチェックサムで構成している。また、制御電文のサイズは１００ビット程度となる。
【００４７】
また、制御部３４は、火災信号を検出した場合、所定の送信時間Ｔ１と送信休止時間Ｔ２からなる送信周期Ｔ０を複数回、例えば３回設定し、各送信時間Ｔ１の間に制御電文の送信を複数回、例えば４個の制御電文Ｄ１〜Ｄ４，Ｄ５〜Ｄ８，Ｄ９〜Ｄ１２の送信を３回に分けて繰り返すと共に、光警報装置３２側で制御電文Ｄ１〜Ｄ１２を受信した場合の発光周期Ｔｆ内における電文の所定の位置、例えば電文受信終了から発光開始までの発光待ち時間情報Ｔｓ１〜Ｔｓ１２を各制御電文Ｄ１〜Ｄ１２の光制御時間情報にセットして送信する制御を行い、光警報装置３２に、受信した制御電文に含まれる発光待ち時間情報Ｔｓ１〜Ｔｓ１２の何れかにより発光部の発光を開始させ、発光周期Ｔｆによる発光を繰り返させる。以下、発光待ち時間情報Ｔｓ１〜Ｔｓ１２を区別する必要がない場合は、発光待ち時間情報Ｔｓ又はＴｓｉとする場合がある。ここで、ｉは電文の順番又は個数を示すｉ＝１，２，３，・・・ｎの整数となる。
【００４８】
また、制御部３４は、登録ＩＤと確認応答電文の送信元ＩＤとの比較により、制御電文の送信に対し全ての送信先から確認応答電文ＡＣＫを受信しないことを判別した場合に、中継送信を指示する中継指示電文Ｒを生成して送信する制御を行い、これを受信した発光制御中の光警報装置３２に、中継制御電文を生成して中継送信させる。
【００４９】
また、制御部３４は、所定の定期通報時間毎に、通信部３８に指示して定期通報電文を送信し、これに対する確認応答電文ＡＣＫを全ての光警報装置３２から受信すると正常と判断し、確認応答電文ＡＣＫが得られない光警報装置３２がある場合は、障害警報を出力する制御を行う。なお、定期通報電文に対し確認応答電文ＡＣＫが得られない光警報装置３２がある場合、制御部３４は中継送信を指示する定期通報の中継指示電文を送信する制御を行い、中継送信を含めた定期通報電文の送信により、全ての光警報装置３２からの確認応答電文ＡＣＫの受信を可能としている。
【００５０】
このような光警報制御装置３０の制御機能は、図５及び図６を参照して後の説明で明らかにする。
【００５１】
（光警報装置の構成）
図４は図１に設けた光警報装置の機能構成を示したブロック図である。図４に示すように、光警報装置３２は、制御部４２、アンテナ４６を接続した通信部４４、及び発光部４８を備え、図示しない電池電源により動作する。
【００５２】
制御部４２は、例えばプログラムの実行により実現される機能であり、ハードウェアとしてはＣＰＵ、メモリ、各種の入出力ポート等を備えたコンピュータ回路等を使用する。
【００５３】
通信部４４は警戒区域に設置している光警報装置３２との間で電文の送受信を行うと共に、光警報制御装置３０からの電波が届かない場所に設置している他の光警報装置に対する制御電文の中継送信を行う。通信部４４は、日本国内の場合には例えば４００ＭＨｚ帯の特定小電力無線局の標準規格に従った無線通信を行う。
【００５４】
また、通信部４４は通常監視状態で間欠受信を行っている。通信部４４による間欠受信の周期は、図２の光警報制御装置３０の通信部３８による送信時間Ｔ１より短い時間となる所定周期に設定し、この間欠受信周期毎にキャリアセンスを行い、キャリアセンスができれば継続受信に切り替えて光警報制御装置３０からの電文受信を可能とする。
【００５５】
発光部４８には高輝度ＬＥＤやフラッシュライト等とその駆動回路を設けており、制御部４２から発光指示を受けた場合、予め設定した発光周期Ｔｆ、例えばＴｆ＝２秒の周期で例えば１００ミリ秒の発光時間となる点滅を繰り返す。
【００５６】
制御部４２は、通信部４４を介して光警報制御装置３０からの制御電文の受信を検出した場合、制御電文に光制御時間情報としてセットしている発光待ち時間情報Ｔｓを取得し、制御電文の受信終了でタイマを起動し、タイマ時間が発光待ち時間情報Ｔｓに達した場合に、発光部４８に発光駆動を指示する制御を行い、発光部４８に発光周期Ｔｆ毎に発光駆動を繰り返して光の点滅により光警報を報知する動作を行わせる。
【００５７】
また、制御部４２は制御電文を受信して発光制御を開始すると、通信部４４に指示して確認応答電文ＡＣＫを送信する制御を行う。ここで、確認応答電文ＡＣＫの送信タイミングは、光警報装置３２のＩＤなどに対応して異なる遅延時間を決めており、複数の光警報装置３２からの確認応答電文ＡＣＫの衝突を回避可能としている。
【００５８】
また、制御部４２は、制御電文の受信に基づく発光制御中に、通信部４４を介して光警報制御装置３０からの中継指示電文ＲＣの受信を検出した場合、通信部４４に指示し、送信時間Ｔ１と送信休止時間Ｔ２からなる送信周期Ｔ０を例えば３回設定し、各送信時間Ｔ１の間に中継制御電文Ｒの送信を例えば４回繰り返すと共に、中継指示電文ＲＣから得られた発光待ち時間情報Ｔｒ０を、電文毎の中継に要する中継所要時間ΔＴｉを加味して補正した中継発光待ち時間情報Ｔｒｉを中継制御電文Ｒに含めて中継送信する制御を行い、中継先の光警報装置３２に、間欠受信により最初に有効受信した中継制御電文Ｒに含まれる中継発光待ち時間情報Ｔｒｉにより発光を開始して発光周期Ｔｆによる発光を繰り返させる。
【００５９】
ここで、光警報装置３２の中継所要時間ΔＴｉは、光警報制御装置３０からの中継指示電文ＲＣの受信終了から光警報装置３２による中継制御電文Ｒの所定の位置、例えば中継送信終了までの時間とし、中継制御電文Ｒ毎に異なった時間となる。
【００６０】
また、制御部４２は、通信部４４を介して光警報制御装置３０からの定期通報電文の受信を検出した場合、確認応答電文ＡＣＫを送信する制御を行う。また、制御部４２は、通信部４４を介して光警報制御装置３０からの定期通報の中継指示電文の受信を検出した場合、通信部４４に指示し、送信時間Ｔ１と送信休止時間Ｔ２からなる送信周期Ｔ０を例えば３回設定し、各送信時間Ｔ１の間に定期通報に中継制御電文の送信を例えば４回繰り返す制御を行い、これに対し中継先から定期通報の確認応答電文を受信した場合は、これを光警報制御装置３０に中継送信する制御を行う。
【００６１】
このような光警報制御装置３０及び光警報装置３２の制御機能は、図５及び図６を参照して後の説明で明らかにする。
【００６２】
［警報システムによる光警報制御］
図５は制御電文の送信による発光制御を示したタイムチャートであり、図５（Ａ）は火災発報を示し、図５（Ｂ）は光警報制御装置による電文送信を示し、図５（Ｃ）は光警報装置の発光制御を示し、図５（Ｄ）は光警報装置の中継制御を一部示す。また、図６は図５に続いて中継指示電文を送信して中継制御を行った場合の発光制御を示したタイムチャートであり、図６（Ａ）は火災発報を示し、図６（Ｂ）は光警報制御装置による電文送信を示し、図６（Ｃ）は光警報装置の発光制御を示し、図６（Ｄ）は光警報装置の中継制御を示し、図６（Ｅ）は中継先での発光制御を示す。
【００６３】
（制御電文の送信による光警報制御）
図５（Ａ）の時刻ｔ１で火災受信機１０により火災発報を検出して火災警報を出力したとすると、その移報部２８からの火災移報信号が光警報制御装置３０に与えられ、図５（Ｂ）の時刻ｔ２から制御電文の送信動作を開始する。
【００６４】
光警報制御装置３０の送信動作は、送信時間Ｔ１と送信休止時間Ｔ２を合わせた送信周期Ｔ０を３回設定しており、各回の送信時間Ｔ１の間に制御電文Ｄ１〜Ｄ４，Ｄ５〜Ｄ８，Ｄ９〜Ｄ１２を繰り返し送信している。
【００６５】
１回目の送信時間Ｔ１の電文送信を例にとると、制御電文Ｄ１〜Ｄ４の各々には、発光制御時間情報として、発光待ち時間情報Ｔｓ１〜Ｔｓ４を含めている。先頭の制御電文Ｄ１を例にとると、発光待ち時間情報Ｔｓ１は、制御電文Ｄ１の送信終了時刻ｔ３から図５（Ｂ）の送信先の光警報装置３２で発光を開始する時刻ｔ７までの時間となる。残りの制御電文Ｄ２〜Ｄ４にも同様にして発光待ち時間情報Ｔｓ２〜Ｔｓ４を含めており、最初の発光待ち時間情報Ｔｓ１から制御電文の１回の送信時間（Ｔ１／４）ずつ短くした時間となる。
【００６６】
具体的には、先頭の制御電文Ｄ１の送信終了から発光を開始するまでの発光待ち時間情報Ｔｓ１を予め決めておけば、残りの発光待ち時間情報Ｔｓ２〜Ｔｓ４は一義的に決まる。
【００６７】
制御電文Ｄ１〜Ｄ４を受信する光警報装置３２は、間欠受信によるキャリアセンスを行っており、例えば最初の送信時間Ｔ１に送信する制御電文Ｄ１〜Ｄ４のどれを受信するかはキャリアセンスのタイミングに依存する。しかしながら、制御電文Ｄ１〜Ｄ４の何れを受信した場合も、それぞれの電文受信終了から発光待ち時間情報Ｔｓ１〜Ｔｓ４を経過した時間は同じ時刻ｔ７となり、時刻ｔ７で発光制御を開始する。
【００６８】
また、光警報制御装置３０からの制御電文Ｄ１〜Ｄ４は、図１に示した光警報装置３２−１，３２−２で受信しており、制御電文Ｄ１〜Ｄ４の受信がそれぞれ異なっても、発光タイミングは同じ時刻ｔ７となり、このため光警報装置３２−１，３２−２の光の点滅が一致する同期発光を行うことができる。
【００６９】
この点は２回目及び３回目の送信時間Ｔ１に送信する電文Ｄ５〜Ｄ８，Ｄ９〜Ｄ１２についても同様である。
【００７０】
（電文中継による光警報制御）
図５で３回に亘る制御電文Ｄ１〜Ｄ１２の送信が終了すると時刻ｔ８から光警報装置３２からの確認応答電文ＡＣＫの受信が行われる。この確認応答電文ＡＣＫの受信により得られた光警報装置３２のＩＤと予め登録している送信先のＩＤとを照合し、全ての光警報装置３２から確認応答電文ＡＣＫが得られていないことを判別すると，時刻ｔ９で中継指示電文ＲＣを送信する。
【００７１】
例えば図１の光警報装置３２−１，３２−２の確認応答電文ＡＣＫは得られたが、離れた場所に配置している光警報装置３２−３の確認応答電文ＡＣＫが得られなった場合である。
【００７２】
光警報制御装置３０から送信する中継指示電文ＲＣには、中継指示電文ＲＣの送信終了時刻ｔ１０から現在発光制御中の次の発光周期Ｔｆの開始時刻ｔ１３までの時間となる中継発光待ち時間情報Ｔｒ０を含めて送信する。これ以降の動作は、図６を参照して説明する。
【００７３】
図６（Ｂ）に示すように、時刻ｔ９で送信を開始した中継指示電文ＲＣは、現在、発光制御中で且つ継続受信となっている図１の光警報装置３２−１，３２−２で受信され、中継指示電文ＲＣの受信終了から中継制御に必要な所望の動作時間を経て中継制御電文Ｒの送信を開始する。
【００７４】
この中継制御電文の送信も、図６（Ｄ）に示すように、送信時間Ｔ１と送信休止時間Ｔ２を合わせた送信周期Ｔ０を３回設定し、各回の送信時間Ｔ１の間に中継制御電文Ｒ１〜Ｒ４、Ｒ５〜Ｒ８、Ｒ９〜Ｒ１２を繰り返し送信している。
【００７５】
中継制御電文Ｒ１〜Ｒ１２には、中継指示電文ＲＣから得られた中継発光待ち時間情報Ｔｒ０を、それぞれの中継所要時間ΔＴ１〜ΔＴ１２を加味して補正した中継発光待ち時間情報Ｔｒ１〜Ｔｒ１２を含めて送信している。
【００７６】
ここで、送信所要時間ΔＴｉは、例えば最初の中継制御電文Ｒ１を例にとると、中継指示電文ＲＣの受信終了時刻ｔ１０から中継制御電文Ｒ１の送信終了時刻ｔ１１までの時間であり、中継制御電文Ｒ１の送信終了時刻ｔ１１から発光制御中の次の発光時刻ｔ１３までの時間となる中継発光待ち時間情報Ｔｒ１は、
Ｔｒ１＝Ｔｒ０−ΔＴ１
として求まる。
【００７７】
次の発光時刻ｔ１３に至る前の中継制御電文Ｒ２も、同様にして次式のように求まる。
Ｔｒ２＝Ｔｒ０−ΔＴ２
次の中継制御電文Ｒ３の終了時刻ｔ１３は発光時刻に一致しており、この場合には発光制御はできないことから、中継発光待ち時間情報Ｔｒ０を発光周期Ｔｆだけずらして（Ｔｒ０＋Ｔｆ）とし、これから中継所要時間ΔＴ３を差し引いて中継発光待ち時間情報Ｔｒ３を次式で求める。
Ｔｒ３＝（Ｔｒ０＋Ｔｆ）−ΔＴ３＝Ｔｆ
【００７８】
以下同様にして中継制御電文Ｒ４〜Ｒ１２について中継発光待ち時間情報Ｔｒ４〜Ｔｒ１２を求めると次のようになる。
Ｔｒ４＝（Ｔｒ０＋Ｔｆ）−ΔＴ４
Ｔｒ５＝（Ｔｒ０＋Ｔｆ）−ΔＴ５
Ｔｒ６＝（Ｔｒ０＋２Ｔｆ）−ΔＴ６＝Ｔｆ
Ｔｒ７＝（Ｔｒ０＋２Ｔｆ）−ΔＴ７
Ｔｒ８＝（Ｔｒ０＋２Ｔｆ）−ΔＴ８
Ｔｒ９＝（Ｔｒ０＋３Ｔｆ）−ΔＴ９＝Ｔｆ
Ｔｒ１０＝（Ｔｒ０＋３Ｔｆ）−ΔＴ１０
Ｔｒ１１＝（Ｔｒ０＋３Ｔｆ）−ΔＴ１１
Ｔｒ１２＝（Ｔｒ０＋３Ｔｆ）−ΔＴ１２
【００７９】
このような中継発光待ち時間情報Ｔｒ１〜Ｔｒ１２は、発光制御中となっている光警報装置３２の発光周期Ｔｆにより発光時刻が決まることから、一義的に求めて中継制御電文Ｒ１〜Ｒ１２に含めて中継送信することができる。
【００８０】
このようにして図１の光警報装置３２−１が中継送信した中継制御電文Ｒ１〜Ｒ１２は、光警報装置３２−３で受信され、例えば１回目の中継制御電文Ｒ１〜Ｒ４のどれの受信であっても、発光タイミングは同じ時刻ｔ１７となり、このため既に発光制御中の光警報装置３２−１，３２−２の光の点滅が一致する同期発光を中継先の光警報装置３２−３でも行うことができる。
【００８１】
（電文中継による光警報制御の他の実施形態）
図７は制御電文の送信による発光制御の他の実施形態を示したタイムチャートであり、図７（Ａ）は火災発報を示し、図７（Ｂ）は光警報制御装置による電文送信を示し、図７（Ｃ）は光警報装置の発光制御を示し、図７（Ｄ）は光警報装置の中継制御を示し、図７（Ｅ）は中継先の発光制御を示し、本実施形態にあっては、最初の制御電文に含める発光待ち時間情報とその後の中継制御電文に含める発光待ち時間情報を同じにして電文生成を簡単にしたことを特徴とする。
【００８２】
図７（Ａ）の時刻ｔ１で火災受信機１０が火災発報を検出し、図７（Ｂ）の時刻ｔ２から制御電文の送信動作を開始している。図７（Ｂ）の送信動作は図５（Ｂ）と基本的に同じであり、送信時間Ｔ１と送信休止時間Ｔ２からなる送信周期Ｔ０を３回設定し、各回の送信時間Ｔ１の間に制御電文Ｄ１〜Ｄ４を繰り返し送信し、また、発光開始タイミングは発光休止時間Ｔ２の中に設定している。
【００８３】
ここで、本実施形態の送信周期Ｔ０と発光周期Ｔｆとの関係は、Ｔ０＝Ｔｆとしており、またＴ０＝ｎ×Ｔｆとしても良い。但し、ｎは任意の整数である。
【００８４】
また、制御電文Ｄ１〜Ｄ４の各々に、発光制御時間情報として、制御電文Ｄ１〜Ｄ４の送信終了時刻ｔ３〜ｔ６から図７（Ｂ）の送信先の光警報装置３２で発光を開始する時刻ｔ７までの時間となる発光待ち時間情報Ｔｓ１〜Ｔｓ４を含めている。
【００８５】
これに加え本実施形態では、最初の発光時刻ｔ７からの発光周期Ｔｆに属する次の送信時間Ｔ１の先頭の制御電文Ｄ１の送信開始時刻ｔ８までの時間として、送信開始待ち時間情報Ｔａを求めている。
【００８６】
また、時刻ｔ９からの確認応答電文ＡＣＫの受信が全ての光警報装置について得られなかった場合、時刻ｔ１０で送信開始待ち時間情報Ｔａを含む中継指示電文ＲＣを送信する。
【００８７】
中継指示電文ＲＣを受信した発光制御中の光警報装置３２は、図７（Ｃ）に示すように、次の発光時刻ｔ１１から送信待ち時間情報Ｔａを経過した時刻ｔ１２から中継制御電文Ｒ１〜Ｒ４の送信を３回に分けて送信する。中継制御電文Ｒ１〜Ｒ４には、時刻ｔ２から送信した制御電文Ｄ１〜Ｄ４の場合と同じ発光待ち時間情報Ｔｓ１〜Ｔｓ４を含めて送信している。
【００８８】
図７（Ｄ）で例えば図１の光警報装置３２−１が中継送信した中継制御電文Ｒ１〜Ｒ４は、中継先の光警報装置３２−３で受信され、例えば１回目の中継制御電文Ｒ１〜Ｒ４のどの受信であっても、発光タイミングは同じ時刻ｔ１７となり、このため既に発光制御中の光警報装置３２−１，３２−２の光の点滅が一致する同期発光を中継先の光警報装置３２−３で行うことができる。
【００８９】
また、中継制御電文Ｒ１〜Ｒ４に含める発光待ち時間情報Ｔｓ１〜Ｔｓ４は、光警報制御装置３０からの制御電文Ｄ１〜Ｄ４に含めた時間と同じであり、図６に示した中継制御電文Ｒ１〜Ｒ１２に含める中継発光待ち時間情報Ｔｒ１〜Ｔｒ１２に比べ、その算出が極めて簡単となり、中継制御電文の生成を容易とするメリットがある。
【００９０】
このように図７の実施形態では、送信周期Ｔ０と発光周期Ｔｆとの関係を、Ｔ０＝Ｔｆ、またＴ０＝ｎ×Ｔｆとなる特別な条件に設定することで、送信待ち時間情報Ｔａを用いて電文の通信を単純化できる。
【００９１】
（光警報制御装置の制御動作）
図８は光警報制御装置の制御動作を示したフローチャートである。図８に示すように、図２の光警報制御装置３０の制御部３４は、ステップＳ１で火災受信機１０からの火災移報信号の受信を検出すると、ステップＳ２に進んで発光待ち時間情報Ｔｓ１〜Ｔ４を発光制御時間情報として含む制御電文Ｄ１〜Ｄ４を生成し、例えば３回の送信時間Ｔ１に分けて制御電文Ｄ１〜Ｄ４を繰り返し送信する。
【００９２】
続いてステップＳ３に進んで光警報装置３２からの確認応答電文ＡＣＫを受信し、全ての確認応答電文ＡＣＫを受信しなかった場合はステップＳ５に進み、そのときの中継発光待ち時間情報Ｔｒを含む中継指示電文ＲＣを送信する。
【００９３】
（光警報装置の制御動作）
図９は光警報装置の制御動作を示したフローチャートである。図９に示すように、光警報装置３２に設けた制御部４２は、ステップＳ１１で間欠受信周期への到達を検出するとステップＳ１２に進んでキャリアセンスの有無を判別し、キャリアセンスを判別するとステップＳ１３に進み、間欠受信動作から継続受信動作に切り替える。
【００９４】
続いてステップＳ１４で制御電文の受信を検出するとステップＳ１５に進み、受信した制御電文に含まれた発光待ち時間情報Ｔｓに基づき発光周期Ｔｆにより発光を繰り返す発光制御を開始する。
【００９５】
続いてステップＳ１６で確認応答電文ＡＣＫの送信を行い、続いてステップＳ１７で中継指示電文の受信を検出すると、ステップＳ１８に進んで中継所要時間に基づき中継発光待ち時間情報Ｔｒを含む中継制御電文Ｒを生成し、ステップＳ１９で中継発光待ち時間情報Ｔｒを含む中継制御電文Ｒを中継送信し、中継先の光警報装置３２で他の光警報装置３２と同期した光の点滅、即ち同期発光による光警報の報知を行う。
【００９６】
［本発明の変形例］
（発光待ち時間情報）
上記の実施形態は、発光待ち時間情報Ｔｓｉとして、実時間（例えばミリ秒）としているが、これ以外に、警報システムで使用するビットレート（ｂｐｓ）におけるビット数を発光待ち時間情報としても良い。
【００９７】
また、電文長Ｔｄの電文をｎ個連送する場合（ｎは電文数を示すｎ＝１，２，３，・・・となる整数）、何個目の電文かを示すｎの部分を発光待ち時間情報としても良い。
【００９８】
また、電文長Ｔｄの電文をｎ個連送し、現在送信中のｍ個目の電文送信終了から電文連送終了までの時間Ｔｄ×（ｎ−ｍ）とした場合、現在送信中の電文を示すｍの部分を発光待ち時間情報としても良い。
【００９９】
また、ｎ個の電文を送信し終わった後に、予め定めた所定の時間Ｔｓｆｉｘ経過後に発光というような発光待ち時間情報としても良い。
【０１００】
さらに、電文により送信する発光待ち時間情報と、予め定めた所定の時間Ｔｓｆｉｘを加減算した値を発光待ち時間情報としても良い。この点は、中継発光待ち時間情報Ｔｒｉについても同様である。
【０１０１】
（火災受信機）
上記の実施形態は、感知器回線単位に火災を監視するＰ型の火災受信機を例にとっているが、伝送回線にアドレスを設定した火災感知器を接続し、アドレス単位に火災を監視するＲ型の火災受信機であっても良い。
【０１０２】
（その他）
また、本発明はその目的と利点を損なうことのない適宜の変形を含み、更に上記の実施形態に示した数値による限定は受けない。
【符号の説明】
【０１０３】
１０：火災受信機
１２：感知器回線
１４：火災感知器
１６：終端装置
２０：受信制御部
２２：回線受信部
２４：表示部
２５：操作部
２６：警報部
２８：移報部
３０：光警報制御装置
３２：光警報装置
３４，４２：制御部
３６：移報入力部
３８，４４：通信部
４８：発光部
【図１】
2019075167.tif 000003
【図２】
2019075167.tif 000004
【図３】
2019075167.tif 000005
【図４】
2019075167.tif 000006
【図５】
2019075167.tif 000007
【図６】
2019075167.tif 000008
【図７】
2019075167.tif 000009
【図８】
2019075167.tif 000010
【図９】
2019075167.tif 000011